(57)【特許請求の範囲】
【請求項１】
ほぼ垂直なウエブと該ウエブの上下に設けられたほぼ水平なフランジとを有するほぼＣチャンネル状の梁と、柱との連結部構造であって、
該フランジは少なくとも第１の板部と第２の板部とが重なった多重フランジ構造であり、
第１の板部は第２の板部よりも梁の長手方向に突出しており、
柱は側面にほぼ水平な接続片を備え、
該接続片は前記第１の板部の突出部に重ね合わせて連結固定されていることを特徴とする柱と梁との連結部構造。
【請求項２】
ほぼ垂直なウエブと該ウエブの上下に設けられたほぼ水平な第１の板部と該第１の板部の外側に重ねて設けられたほぼ水平な第２の板部とを有するほぼＣチャンネル状の多重梁と、柱との連結部構造であって、
該柱にはほぼ垂直なウエブと該ウエブの上下に設けられたほぼ水平なフランジとを有するＣチャンネル状のジョイントピースが固定され、
前記多重梁の端部には第２の板部の一部をジョイントピースの長さ寸法分だけ短くしてなるウエブと第１の板部とによる突出部が形成され、
前記多重梁の突出部をジョイントピースへ内接させた状態で、ジョイントピースのウエブおよびフランジとこれに内接された多重梁のウエブおよび第１の板部との面間を相互に溶接固定させたことを特徴とする柱と梁との連結部構造。
【請求項３】
ほぼ垂直なウエブと該ウエブの上下に設けられたほぼ水平な第１の板部と該第１の板部の内側に重ねて設けられたほぼ水平な第２の板部とを有するほぼＣチャンネル状の多重梁と、柱との連結部構造であって、
該柱にはほぼ垂直なウエブと該ウエブの上下に設けられたほぼ水平なフランジとを有するＣチャンネル状のジョイントピースが固定され、
前記多重梁の端部には第２の板部の一部をジョイントピースの長さ寸法分だけ短くしてなるウエブと第１の板部とによる突出部が形成され、
前記多重梁の突出部をジョイントピースへ外接させた状態で、ジョイントピースのウエブおよびフランジとこれに外接された多重梁のウエブおよび第１の板部との面間を相互に溶接固定させたことを特徴とする柱と梁との連結部構造。
【請求項４】
ほぼ垂直なウエブと該ウエブの上下に設けられたほぼ水平な第１の板部と該第１の板部の外側に重ねて設けられたほぼ水平な第２の板部とを有するほぼＣチャンネル状の多重梁と、柱との連結部構造であって、
該柱の端部には一対のダイヤフラムが柱から外方へ張出すように取付けられ、
前記多重梁の端部には第２の板部の一部をダイヤフラムの張出部の張出量分だけ短くしてなるウエブと第１の板部とによる突出部が形成され、
前記多重梁の突出部をダイヤフラムの張出部へ内接させた状態で、ダイヤフラムの張出部の端部とこれに内接された多重梁の第１の板部との間を相互に溶接固定させたことを特徴とする柱と梁との連結部構造。
【請求項５】
ほぼ垂直なウエブと該ウエブの上下に設けられたほぼ水平な第１の板部と該第１の板部の端部を内側または外側へ重ねてなるほぼ水平な第２の板部とを有するほぼＣチャンネル状の多重梁の端部に、前記第２の板部の一部を短くしてなるウエブと第１の板部とによる突出部が形成されたことを特徴とする梁。
【請求項６】
ほぼ垂直なウエブと該ウエブの上下に設けられたほぼ水平なフランジとを有するほぼＣチャンネル状の梁と、柱との連結部構造であって、
該フランジは少なくとも第１の板部と第２の板部とが重なった多重フランジ構造であり、
第１の板部と第２の板部とは梁の長手方向の端部において間隙を有しており、
柱は側面にほぼ水平な接続片を備え、
該接続片は前記第１の板部と第２の板部との間隙に位置して、前記フランジに重ね合わせて連結固定されていることを特徴とする柱と梁との連結部構造。
【請求項７】
ほぼ垂直なウエブと該ウエブの上下に設けられたほぼ水平な第１の板部と該第１の板部の外側に重ねて設けられたほぼ水平な第２の板部とを有するほぼＣチャンネル状の多重梁と、柱との連結部構造であって、
該柱にはほぼ垂直なウエブと該ウエブの上下に設けられたほぼ水平なフランジとを有するＣチャンネル状のジョイントピースが固定され、
前記多重梁の第１の板部と第２の板部との間隙にジョイントピースのフランジが挟着され、且つ、多重梁のウエブにジョイントピースのウエブが外接された状態で、ジョイントピースのウエブおよびフランジと、これを挟着および外接している多重梁の第１の板部、第２の板部およびウエブとの面間を相互に溶接固定させたことを特徴とする柱と梁との連結部構造。
【請求項８】
柱と、ほぼ垂直なウエブと該ウエブの上下に設けられたほぼ水平なフランジとを有するほぼＣチャンネル状の梁とが、ジョイントピースを介して連結されてなる柱と梁との連結部構造であって、
前記ジョイントピースは、一端に柱に当接して溶接固定する接続片と、他端部に前記梁の少なくともフランジが内接または外接して溶接固定される接合片とを有し、柱に当接して溶接固定される側の接続片は少なくとも第１の板部と第２の板部とが重なった多重構造であることを特徴とする柱と梁との連結部構造。
【請求項９】
ジョイントピースは、ほぼ垂直なウエブと該ウエブの上下に設けられたほぼ水平なフランジとを有し、該ジョイントピースのフランジの柱に当接して溶接固定される側の部分は少なくとも第１の板部と第２の板部とが重なった多重構造であることを特徴とする請求項８記載の柱と梁との連結部構造。
【発明の詳細な説明】
【０００１】
【発明の属する技術分野】
この発明は、柱と梁との連結部構造および梁に関するものである。
【０００２】
【従来の技術】
予め工場で製造した建物ユニットを建築現場へ輸送し、これらを建築現場で組み立てて住宅などの建物を構築する工法が行われている。上記建物ユニットは、図１０に示すように、コーナーに配設される４本の柱１の上端部間および下端部間をそれぞれ４本の梁２で相互に連結してボックス型の骨組３を形成し、この骨組３に内外装パネル、天井パネル、床パネルなどを取付けることによって構成される。
【０００３】
この種の建物ユニットを構成する柱１と梁２の連結は、図１１に示すように、柱１の端部及び内部に所定の間隔を置いて一対のダイヤフラム４を取付け、この柱１のダイヤフラム４を取付けた部分に対して梁２の端部を直接溶接（溶接部５）する方法、或いは、図１２に示すように、柱１にＣチャンネル材からなるジョイントピース６を溶接し、このジョイントピース６の端部に沿ってジョイントピース６と梁２とを溶接（溶接部７）する方法、ジョイントピース６と梁２との面間で溶接する方法などが採用されている。
【０００４】
なお、梁２はほぼ垂直なウエブ８とこのウエブ８の上下に設けられたほぼ水平なフランジ９とからなるＣチャンネル材で構成されている。
【０００５】
【発明が解決しようとする課題】
しかしながら、このような柱１と梁２との連結部構造には、以下のような問題があった。
【０００６】
即ち、図１３に示すようにフランジ９の端部１０を延長して外側へ折り曲げたり、図１４に示すようにフランジ９の端部１１を延長して内側へ折り曲げたりすることによってフランジ部１２の断面積を増やし、均一板厚の板材から剛性の高い型材を得られるようにする技術が開発されているが、このような型材を上記建物ユニットの梁２（多重梁）として用いた場合、フランジ部１２の折り曲げられた端部１０，１１と柱１との溶接が困難となるため、柱１と梁２との連結部の剛性確保が難しい。
【０００７】
そこで、本発明の目的は、上記の問題点を解消し、多重梁を用いた場合に多重梁と柱との連結部の剛性を有効に確保し得るようにした柱と梁との連結部構造および梁を提供することにある。
【０００８】
【課題を解決するための手段】
上記課題を解決するために、請求項１に記載された発明では、柱と梁との連結部構造であって、梁はほぼ垂直なウエブと該ウエブの上下に設けられたほぼ水平なフランジとを有するほぼＣチャンネル状であって、該フランジは少なくとも第１の板部と第２の板部とが重なった多重フランジ構造であり、第１の板部は第２の板部よりも梁の長手方向に突出しており、柱は側面にほぼ水平な接続片を備え、該接続片は前記第１の板部の突出部に重ね合わせて連結固定されていることを特徴としている。
【０００９】
このように構成された請求項１にかかる発明によれば、多重梁の端部における第２の板部の一部を梁の長手方向に短くしてウエブと第１の板部とによる突出部を形成し、突出部を接続片と重ね合わせて連結固定させるようにしているので、簡単且つ確実に多重梁を柱へ固定することが可能となる。
【００１０】
請求項２に記載された発明では、ほぼ垂直なウエブと該ウエブの上下に設けられたほぼ水平な第１の板部と該第１の板部の外側に重ねて設けられたほぼ水平な第２の板部とを有するほぼＣチャンネル状の多重梁と、柱との連結部構造であって、該柱にはほぼ垂直なウエブと該ウエブの上下に設けられたほぼ水平なフランジとを有するＣチャンネル状のジョイントピースが固定され、前記多重梁の端部には第２の板部の一部をジョイントピースの長さ寸法分だけ短くしてなるウエブと第１の板部とによる突出部が形成され、前記多重梁の突出部をジョイントピースへ内接させた状態で、ジョイントピースのウエブおよびフランジとこれに内接された多重梁のウエブおよび第１の板部との面間を相互に溶接固定させたことを特徴としている。
【００１１】
このように構成された請求項２にかかる発明によれば、多重梁の端部における第２の板部の一部をジョイントピースの長さ寸法分だけ短くして突出部を形成し、突出部を構成するウエブと第１の板部とをジョイントピースのウエブとフランジへ内接させ、ジョイントピースのウエブおよびフランジとこれに内接された多重梁のウエブおよび第１の板部との面間を相互に溶接固定させるようにしているので、簡単且つ確実に多重梁を柱へ固定することが可能となる。
【００１２】
また、ジョイントピースのウエブおよびフランジとこれに内接された多重梁のウエブおよび第１の板部との面間を相互に溶接固定させるようにしているので、溶接箇所を増やすことによって、簡単に所要の接合強度を得ることができる。従って、ジョイントピースの端部に沿って、ジョイントピースと多重梁とを溶接しなくとも、柱と梁との連結部の剛性を容易に確保することができる。しかも、必要な場合には、ジョイントピースの端部に沿って、ジョイントピースの端部と多重梁の第２の板部およびウエブとの間を溶接する余地があり、これによって一層の剛性アップを図ることも可能である。従って、大空間形成ユニット建物の連結部構造などに支障なく適用することができる。
【００１３】
請求項３に記載された発明では、ほぼ垂直なウエブと該ウエブの上下に設けられたほぼ水平な第１の板部と該第１の板部と該フランジの内側に重ねて設けられたほぼ水平な第２の板部とを有するほぼＣチャンネル状の多重梁と、柱との連結部構造であって、該柱にはほぼ垂直なウエブと該ウエブの上下に設けられたほぼ水平なフランジとを有するＣチャンネル状のジョイントピースが固定され、前記多重梁の端部には第２の板部の一部をジョイントピースの長さ寸法分だけ短くしてなるウエブと第１の板部とによる突出部が形成され、前記多重梁の突出部をジョイントピースへ外接させた状態で、ジョイントピースのウエブおよびフランジとこれに外接された多重梁のウエブおよび第１の板部との面間を相互に溶接固定させたことを特徴としている。
【００１４】
このように構成された請求項３にかかる発明によれば、多重梁の端部における第２の板部の一部をジョイントピースの長さ寸法分だけ短くして突出部を形成し、突出部を構成するウエブと第１の板部とをジョイントピースのウエブとフランジへ外接させ、ジョイントピースのウエブおよびフランジとこれに外接された多重梁のウエブおよび第１の板部との面間を相互に溶接固定させるようにしているので、簡単且つ確実に多重梁を柱へ固定することが可能となる。
【００１５】
また、ジョイントピースのウエブおよびフランジとこれに外接された多重梁のウエブおよび第１の板部との面間を相互に溶接固定させるようにしているので、溶接箇所を増やすことによって、簡単に所要の接合強度を得ることができる。従って、ジョイントピースの端部に沿って、ジョイントピースと多重梁とを溶接しなくとも、柱と梁との連結部の剛性を容易に確保することができる。しかも、必要な場合には、ジョイントピースの端部に沿って、ジョイントピースの端部と多重梁の第２の板部およびウエブとの間を溶接する余地があり、これによって一層の剛性アップを図ることも可能である。従って、大空間形成ユニット建物の連結部構造などに支障なく適用することができる。
【００１６】
請求項４に記載された発明では、ほぼ垂直なウエブと該ウエブの上下に設けられたほぼ水平な第１の板部と該第１の板部の外側に重ねて設けられたほぼ水平な第２の板部とを有するほぼＣチャンネル状の多重梁と、柱との連結部構造であって、該柱の端部には一対のダイヤフラムが柱から外方へ張出すように取付けられ、前記多重梁の端部には第２の板部の一部をダイヤフラムの張出部の張出量分だけ短くしてなるウエブと第１の板部とによる突出部が形成され、前記多重梁の突出部をダイヤフラムの張出部へ内接させた状態で、ダイヤフラムの張出部の端部とこれに内接された多重梁の第１の板部との間を相互に溶接固定させたことを特徴としている。
【００１７】
このように構成された請求項４にかかる発明によれば、多重梁の端部における第２の板部の一部をダイヤフラムの張出部の張出量分だけ短くして突出部を形成し、突出部を構成する第１の板部をダイヤフラムの張出部へ内接させ、ダイヤフラムの張出部の端部とこれに内接された多重梁の第１の板部との間を相互に溶接固定させるようにしているので、簡単且つ確実に多重梁を柱へ固定することが可能となる。従って、大空間形成ユニット建物の連結部構造などに支障なく適用することができる。
【００１８】
請求項５に記載された発明では、ほぼ垂直なウエブと該ウエブの上下に設けられたほぼ水平な第１の板部と該第１の板部の端部を内側または外側へ重ねてなるほぼ水平な第２の板部とを有するほぼＣチャンネル状の多重梁の端部に、前記第２の板部の一部を短くしてなるウエブと第１の板部とによる突出部が形成されたことを特徴としている。
【００１９】
このように構成された請求項５にかかる発明によれば、多重梁の端部に第２の板部の一部を短くして突出部を形成することにより、通常の梁と同様の連結構造を採用することが可能となる。また、段差のない連結を行わせることができる。
【００２０】
請求項６に記載された発明では、柱と梁との連結部構造であって、梁はほぼ垂直なウエブと該ウエブの上下に設けられたほぼ水平なフランジとを有するほぼＣチャンネル状であって、該フランジは少なくとも第１の板部と第２の板部とが重なった多重フランジ構造であり、第１の板部と第２の板部とは梁の長手方向の端部において間隙を有しており、柱は側面にほぼ水平な接続片を備え、該接続片は前記第１の板部と第２の板部との間隙に位置して、前記フランジに重ね合わせて連結固定されていることを特徴としている。
【００２１】
このように構成された請求項６にかかる発明によれば、多重梁の第１の板部と第２の板部との間隙に接続片のフランジを位置させて、接続片と多重梁とを連結固定させるようにしているので、簡単且つ確実に多重梁を柱へ固定することが可能となる。
【００２２】
請求項７に記載された発明では、ほぼ垂直なウエブと該ウエブの上下に設けられたほぼ水平な第１の板部と該第１の板部の外側に重ねて設けられたほぼ水平な第２の板部とを有するほぼＣチャンネル状の多重梁と、柱との連結部構造であって、該柱にはほぼ垂直なウエブと該ウエブの上下に設けられたほぼ水平なフランジとを有するＣチャンネル状のジョイントピースが固定され、前記多重梁の第１の板部と第２の板部との間隙にジョイントピースのフランジが挟着され、且つ、多重梁のウエブにジョイントピースのウエブが外接された状態で、ジョイントピースのウエブおよびフランジと、これを挟着および外接している多重梁の第１の板部、第２の板部およびウエブとの面間を相互に溶接固定させたことを特徴としている。
【００２３】
このように構成された請求項７にかかる発明によれば、多重梁の第１の板部と第２の板部との間隙にジョイントピースのフランジが挟着され、且つ、多重梁のウエブにジョイントピースのウエブが外接され得るようにして、ジョイントピースのウエブおよびフランジと、これを挟着および外接している多重梁の第１の板部、第２の板部およびウエブとの面間を相互に溶接固定させるようにしているので、簡単且つ確実に多重梁を柱へ固定することが可能となる。
【００２４】
また、ジョイントピースのウエブおよびフランジとこれを挟着および外接している多重梁のウエブおよび第１の板部の面間を溶接固定させるようにしているので、溶接箇所を増やすことによって、簡単に所要の接合強度を得ることができる。従って、ジョイントピースの端部に沿って、ジョイントピースと多重梁とを溶接しなくとも柱と梁との連結部の剛性を容易に確保することができる。しかも、必要な場合には、ジョイントピースの端部に沿って、ジョイントピースと多重梁のウエブとの間隙を溶接する余地があり、これによって一層の剛性アップを図ることも可能である。従って、大空間形成ユニット建物の連結部構造などに支障なく適用することができる。
【００２５】
請求項８に記載された発明では、柱と、ほぼ垂直なウエブと該ウエブの上下に設けられたほぼ水平なフランジとを有するほぼＣチャンネル状の梁とが、ジョイントピースを介して連結されてなる柱と梁との連結部構造であって、前記ジョイントピースは、一端に柱に当接して溶接固定する接続片と、他端部に前記梁の少なくともフランジが内接または外接して溶接固定される接合片とを有し、柱に当接して溶接固定される側の接続片は少なくとも第１の板部と第２の板部とが重なった多重構造であることを特徴としている。
【００２６】
このように構成された請求項８にかかる発明によれば、ジョイントピースの柱に当接して溶接固定される側の接続片は少なくとも第１の板部と第２の板部とが重なった多重構造であるので、ジョイントピースと柱との溶接固定部は強固なものとなり、また、梁の少なくともフランジがジョイントピースの接合片に内接または外接して溶接固定させるようにしているので、簡単且つ確実に梁を柱へ固定することが可能となる。
【００２７】
請求項９に記載された発明では、請求項８記載の柱と梁との連結部構造において、ジョイントピースは、ほぼ垂直なウエブと該ウエブの上下に設けられたほぼ水平なフランジとを有し、該ジョイントピースのフランジの柱に当接して溶接固定される側の部分は少なくとも第１の板部と第２の板部とが重なった多重構造であることを特徴としている。
【００２８】
このように構成された請求項９にかかる発明によれば、ジョイントピースのフランジの柱に当接して溶接固定される側の部分は少なくとも第１の板部と第２の板部とが重なった多重構造であるので、ジョイントピースと柱との溶接固定部は強固なものとなり、また、梁の少なくともフランジがジョイントピースのフランジに内接または外接して溶接固定させるようにしているので、簡単且つ確実に梁を柱へ固定することが可能となる。
【００２９】
【発明の実施の形態１】
以下、本発明の具体的な実施の形態１について、図示例と共に説明する。
【００３０】
図１及び図２は、この発明の実施の形態１を示すものである。なお、建物ユニットの基本的構成は図１０のものと同様なので、必要に応じて図１０を参照する。
【００３１】
まず、構成を説明すると、この実施の形態１のものでは、梁（天井梁、なお、床梁も同様）は、ほぼ垂直なウエブ２１とこのウエブ２１の上下に設けられたほぼ水平な第１の板部２２とからなるＣチャンネル材で構成されており、上記第１の板部２２には更に端部を延長して外側へ曲げてなるほぼ水平な第２の板部２３が形成されて剛性の高い多重梁２４とされている。なお、第２の板部２３は第１の板部２２に溶接固定するなどして取付けても良い。
【００３２】
更に、この実施の形態１の場合、柱１の上端部または下端部にはほぼ垂直なウエブ２５とこのウエブ２５の上下に設けられたほぼ水平なフランジ２６とからなるＣチャンネル材からなるジョイントピース２７（接続片）が溶接されている（溶接部２８）。そして、多重梁２４の端部における第２の板部２３の一部をジョイントピース２７の長さ寸法分だけ短くしてウエブ２１と第１の板部２２とを突出させ、突出部２９のウエブ２１と第１の板部２２とがジョイントピース２７へ内接され得るようにしている。なお、ジョイントピース２７は、多重梁２４のウエブ２１と第１の板部２２とが内接され得る内形寸法とする。
【００３３】
そして、このジョイントピース２７のウエブ２５およびフランジ２６とこれに内接された多重梁２４におけるウエブ２１および第１の板部２２との面間を相互に溶接固定させるようにする（溶接部３０）。
【００３４】
次に、この実施の形態１の作用について説明する。
【００３５】
多重梁２４の端部における第２の板部２３の一部をジョイントピース２７の長さ寸法分だけ短くしてウエブ２１と第１の板部２２とを突出させ、突出部２９のウエブ２１と第１の板部２２とをジョイントピース２７のウエブ２５とフランジ２６へ内接させ、ジョイントピース２７のウエブ２５およびフランジ２６とこれに内接された多重梁２４のウエブ２１および第１の板部２２との面間を相互に溶接固定させるようにしているので（溶接部３０）、簡単且つ確実に多重梁２４を柱１へ固定することが可能となる。
【００３６】
また、ジョイントピース２７のウエブ２５およびフランジ２６とこれに内接された多重梁２４のウエブ２１および第１の板部２２との面間を相互に溶接固定させるようにしているので（溶接部３０）、溶接箇所を増やすことによって、簡単に所要の接合強度を得ることができる。従って、ジョイントピース２７の端部に沿って、ジョイントピース２７と多重梁２４とを溶接しなくとも、柱１と梁２との連結部の剛性を容易に確保することができる。しかも、必要な場合には、ジョイントピース２７の端部に沿って、ジョイントピース２７の端部と多重梁２４の第２の板部２３およびウエブ２１との間を溶接する余地があり（溶接部３１）、これによって一層の剛性アップを図ることも可能である。従って、１隅或いは２隅の柱１をなくした建物ユニットを複数組み合わせて柱１のない大空間を形成するようにした大空間形成ユニット建物の連結部構造などに支障なく適用することができる。
【００３７】
更に、ジョイントピース２７の外形と多重梁２４の外形とを面一にすることができるので、多重梁２４の寸法自由度が高く、例えば、多重梁２４の外形寸法を従来の梁２と同一にすれば図１０の骨組３と外形寸法が同じとなるので、骨組３に取付けられるスタッドなどの部品として図１０の骨組み３に使用したものと同一のものをそのまま使用することができる。また、多重梁２４の内径寸法を従来の梁２と同一にすれば天井の収まりが図１０の骨組３の場合と同じとなるので、天井小梁、床根太などの部品として図１０の骨組み３に使用したものと同一のものをそのまま使用することができる。
【００３８】
【発明の実施の形態２】
図３及び図４は、この発明の実施の形態２を示すものである。なお、前記実施の形態１と同一ないし均等な部分については、同一の符号を付して説明する。
【００３９】
まず、構成を説明すると、この実施の形態２のものでは、梁はほぼ垂直なウエブ２１とこのウエブ２１の上下に設けられたほぼ水平な第１の板部２２とからなるＣチャンネル材で構成されており、上記第１の板部２２には更に端部を延長して内側へ曲げてなるほぼ水平な第２の板部４１が形成されて剛性の高い多重梁４２とされている。なお、第２の板部４１は第１の板部２２に溶接固定するなどして取付けても良い。
【００４０】
更に、この実施の形態２の場合、柱１の上端部または下端部にはほぼ垂直なウエブ２５とこのウエブ２５の上下に設けられたほぼ水平なフランジ２６とからなるＣチャンネル材からなるジョイントピース２７が溶接されている（溶接部２８）。そして、多重梁４２の端部における第２の板部４１の一部をジョイントピース２７の長さ寸法分だけ短くしてウエブ２１と第１の板部２２とを突出させ、突出部４３のウエブ２１と第１の板部２２とがジョイントピース２７へ外接され得るようにしている。なお、ジョイントピース２７は、多重梁４２のウエブ２１と第１の板部２２とが外接され得る外形寸法とする。
【００４１】
そして、このジョイントピース２７のウエブ２５およびフランジ２６とこれに外接された多重梁４２におけるウエブ２１および第１の板部２２との面間を相互に溶接固定させるようにする（溶接部３０）。
【００４２】
次に、この実施の形態２の作用について説明する。
【００４３】
多重梁４２の端部における第２の板部４１の一部をジョイントピース２７の長さ寸法分だけ短くしてウエブ２１と第１の板部２２とを突出させ、突出部４３のウエブ２１と第１の板部２２とをジョイントピース２７のウエブ２５とフランジ２６へ外接させ、ジョイントピース２７のウエブ２５およびフランジ２６とこれに外接された多重梁４２のウエブ２１および第１の板部２２との面間を相互に溶接固定させるようにしているので（溶接部３０）、簡単且つ確実に多重梁４２を柱１へ固定することが可能となる。
【００４４】
また、ジョイントピース２７のウエブ２５およびフランジ２６とこれに外接された多重梁４２のウエブ２１および第１の板部２２との面間を相互に溶接固定させるようにしているので（溶接部３０）、溶接箇所を増やすことによって、簡単に所要の接合強度を得ることができる。従って、ジョイントピース２７の端部に沿って、ジョイントピース２７と多重梁４２とを溶接しなくとも、柱１と梁２との連結部の剛性を容易に確保することができる。しかも、必要な場合には、ジョイントピース２７の端部に沿って、ジョイントピース２７の端部と多重梁４２の第２の板部４１およびウエブ２１との間を溶接する余地があり（溶接部３１）、これによって一層の剛性アップを図ることも可能である。従って、１隅或いは２隅の柱１をなくした建物ユニットを複数組み合わせて柱１のない大空間を形成するようにした大空間形成ユニット建物の連結部構造などに支障なく適用することができる。
【００４５】
更に、ジョイントピース２７の内形と多重梁４２の内形とを面一にすることができるので、多重梁４２の寸法自由度が高く、例えば、多重梁４２の外形寸法を従来の梁２と同一にすれば図１０の骨組３と外形寸法が同じとなるので、骨組３に取付けられるスタッドなどの部品として図１０の骨組み３に使用したものと同一のものをそのまま使用することができる。また、多重梁４２の内径寸法を従来の梁２と同一にすれば天井の収まりが図１０の骨組３の場合と同じとなるので、天井小梁、床根太などの部品として図の骨組み３に使用したものと同一のものをそのまま使用することができる。
【００４６】
上記以外については、前記実施の形態１と同様の構成を備えており、同様の作用・効果を得ることができる。
【００４７】
【発明の実施の形態３】
図５及び図６は、この発明の実施の形態３を示すものである。なお、前記実施の形態１と同一ないし均等な部分については、同一の符号を付して説明する。
【００４８】
まず、構成を説明すると、この実施の形態３のものでは、梁はほぼ垂直なウエブ２１とこのウエブ２１の上下に設けられたほぼ水平な第１の板部２２とからなるＣチャンネル材で構成されており、上記第１の板部２２には更に端部を延長して外側へ曲げてなるほぼ水平な第２の板部２３が形成されて剛性の高い多重梁２４とされている。なお、第２の板部２３は第１の板部２２に溶接固定するなどして取付けても良い。加えて、多重梁２４の第１の板部２２と第２の板部２３との間には所要の間隙５１が形成されている。
【００４９】
更に、この実施の形態３の場合、柱１の上端部または下端部にはほぼ垂直なウエブ２５とこのウエブ２５の上下に設けられたほぼ水平なフランジ２６とからなるＣチャンネル材からなるジョイントピース２７が溶接されている（溶接部２８）。そして、多重梁２４の第１の板部２２と第２の板部２３との間隙５１にジョイントピース２７のフランジ２６が挟着され、且つ、多重梁２４のウエブ２１にジョイントピース２７のウエブ２５が外接され得るようにしている。なお、ジョイントピース２７は、多重梁２４の第１の板部２２と第２の板部２３との間隙５１にそのフランジ２６が挟着され、且つ、多重梁２４のウエブ２１にそのウエブ２５が外接され得る寸法とする。
【００５０】
そして、このジョイントピース２７のウエブ２５およびフランジ２６と、これを挟着および外接している多重梁２４の第１の板部２２、第２の板部２３およびウエブ２１の面間を相互に溶接固定させるようにする（溶接部３０）。
【００５１】
次に、この実施の形態３の作用について説明する。
【００５２】
多重梁２４の第１の板部２２と第２の板部２３との間隙５１にジョイントピース２７のフランジ２６が挟着され、且つ、多重梁２４のウエブ２１にジョイントピース２７のウエブ２５が外接され得るようにして、ジョイントピース２７のウエブ２５およびフランジ２６と、これを挟着および外接している多重梁２４の第１の板部２２、第２の板部２３およびウエブ２１との面間を相互に溶接固定させるようにしているので（溶接部３０）、簡単且つ確実に多重梁２４を柱１へ固定することが可能となる。
【００５３】
また、ジョイントピース２７のウエブ２５およびフランジ２６とこれを挟着および外接している多重梁２４のウエブ２１および第１の板部２２の面間を溶接固定させるようにしているので（溶接部３０）、溶接箇所を増やすことによって、簡単に所要の接合強度を得ることができる。従って、ジョイントピース２７の端部に沿って、ジョイントピース２７と多重梁２４とを溶接しなくとも柱１と梁２との連結部の剛性を容易に確保することができる。しかも、必要な場合には、ジョイントピース２７の端部に沿って、ジョイントピース２７と多重梁２４のウエブ２１との間隙５１を溶接する余地があり、これによって一層の剛性アップを図ることも可能である。従って、１隅或いは２隅の柱１をなくした建物ユニットを複数組み合わせて柱１のない大空間を形成するようにした大空間形成ユニット建物の連結部構造などに支障なく適用することができる。
【００５４】
更に、ジョイントピース２７の位置の外形と多重梁２４の外形とを面一にすることができるので、多重梁２４の寸法自由度が高く、例えば、多重梁２４の外形寸法を従来の梁２と同一にすれば図１０の骨組３と外形寸法が同じとなるので、骨組３に取付けられるスタッドなどの部品として図１０の骨組み３に使用したものと同一のものをそのまま使用することができる。また、多重梁２４の内径寸法を従来の梁２と同一にすれば天井の収まりが図１０の骨組３の場合と同じとなるので、天井小梁、床根太などの部品として図の骨組み３に使用したものと同一のものをそのまま使用することができる。
【００５５】
上記以外については、前記実施の形態１と同様の構成を備えており、同様の作用・効果を得ることができる。
【００５６】
【発明の実施の形態４】
図７は、この発明の実施の形態４を示すものである。なお、前記実施の形態１と同一ないし均等な部分については、同一の符号を付して説明する。
【００５７】
まず、構成を説明すると、この実施の形態４のものでは、梁はほぼ垂直なウエブ２１とこのウエブ２１の上下に設けられたほぼ水平な第１の板部２２とからなるＣチャンネル材で構成されており、上記第１の板部２２には更に端部を延長して外側へ曲げてなるほぼ水平な第２の板部２３が形成されて剛性の高い多重梁２４とされている。なお、第２の板部２３は第１の板部２２に溶接固定するなどして取付けても良い。
【００５８】
更に、この実施の形態４の場合、柱１の上下端部には一対のダイヤフラム５５（接続片）を所定の間隔を置いて配した接続金具５６が溶接されている。上記ダイヤフラム５５は柱１の外方へ僅かに張出す張出部５７を有している。そして、多重梁２４の端部における第２の板部２３の一部をダイヤフラム５５の張出部５７の張出量分だけ短くしてウエブ２１と第１の板部２２とを突出させ、突出部５８の第１の板部２２がダイヤフラム５５へ内接され得るようにしている。なお、一対のダイヤフラム５５は、多重梁２４のウエブ２１と第１の板部２２とが内接され得る間隔で配置とする。
【００５９】
そして、このダイヤフラム５５の張出部５７の端部と多重梁２４の第２の板部２３との間を相互に溶接固定させるようにする（溶接部５９）。
【００６０】
次に、この実施の形態４の作用について説明する。
【００６１】
多重梁２４の端部における第２の板部２３の一部をダイヤフラム５５の張出部５７の張出量分だけ短くしてウエブ２１と第１の板部２２とを突出させ、突出部５８の第１の板部２２をダイヤフラム５５の張出部５７へ内接させ、ダイヤフラム５５の張出部５７の端部とこれに内接された多重梁２４の第１の板部２２との間を相互に溶接固定させるようにしているので（溶接部５９）、簡単且つ確実に多重梁２４を柱１へ固定することが可能となる。従って、１隅或いは２隅の柱１をなくした建物ユニットを複数組み合わせて柱１のない大空間を形成するようにした大空間形成ユニット建物の連結部構造などに支障なく適用することができる。
【００６２】
更に、ダイヤフラム５５の外形と多重梁２４の外形とを面一にすることができるので、多重梁２４の寸法自由度が高く、例えば、多重梁２４の外形寸法を従来の梁２と同一にすれば図１０の骨組３と外形寸法が同じとなるので、骨組３に取付けられるスタッドなどの部品として図１０の骨組み３に使用したものと同一のものをそのまま使用することができる。また、多重梁２４の内径寸法を従来の梁２と同一にすれば天井の収まりが図１０の骨組３の場合と同じとなるので、天井小梁、床根太などの部品として図１０の骨組み３に使用したものと同一のものをそのまま使用することができる。
【００６３】
上記以外については、前記実施の形態１と同様の構成を備えており、同様の作用・効果を得ることができる。
【００６４】
【発明の実施の形態５】
図８及び図９は、この発明の実施の形態５を示すものである。なお、前記実施の形態１と同一ないし均等な部分については、同一の符号を付して説明する。
【００６５】
まず、構成を説明すると、この実施の形態５のものでは、梁は実施の形態１のものとほぼ同じ構成の多重梁２４とされているので詳細な説明は省略する。なお、梁は多重梁でなく、ほぼ垂直なウエブとこのウエブの上下に設けられたほぼ水平な一重のフランジからなるＣチャンネル材であってもよい。
【００６６】
ジョイントピース６１は、ほぼ垂直なウエブ６２とこのウエブ６２の上下に設けられたほぼ水平なフランジ６３とからなるＣチャンネル材からなる。そして、図９で左側部分は柱１に当接して溶接固定される部分であって、フランジ６３の左側部分は延長してそれぞれ内側へ曲げてなるほぼ水平な第２の板部６４が形成されて多重構造とされている。なお、この板部６４は第１の板部であるフランジ６３に溶接固定するなどして取付けても良い。
【００６７】
そして、柱１の上端部または下端部には、ジョイントピース６１のウエブ６２と多重構造のフランジ６３と板部６４の端面が当接して溶接されている（溶接部２８）。そして、多重梁２４の端部における第２の板部２３の一部をジョイントピース６１のフランジ６３の単壁部分（図９の右側部分）の長さ寸法分だけ短くしてウエブ２１と第１の板部２２とを突出させ、突出部２９のウエブ２１と第１の板部２２とがジョイントピース６１のフランジ６３の単壁部分（図９の右側部分）へ内接され得るようにしている。なお、ジョイントピース６１は、多重梁２４のウエブ２１と第１の板部２２とが内接され得る内形寸法とする。
【００６８】
そして、このジョイントピース６１のウエブ６２及びフランジ６３の単壁部分（図９の右側部分）とこれに内接された多重梁２４におけるウエブ２１および第１の板部２２との面間を相互に溶接固定させるようにする（溶接部３０）。
【００６９】
次に、この実施の形態５の作用について説明する。
【００７０】
ジョイントピース６１のフランジ６３の柱に当接して溶接固定される側の部分はフランジ６３と第２の板部６４とが重なった多重構造であるので、ジョイントピース６１と柱１との溶接固定部は強固なものとなる。
そして、多重梁２４の端部における第２の板部２３の一部をジョイントピース６１のフランジ６３の単壁部分（図９の右側部分）の長さ寸法分だけ短くしてウエブ２１と第１の板部２２とを突出させ、突出部２９のウエブ２１と第１の板部２２とをジョイントピース６１のウエブ６２とフランジ６３の単壁部分（図９の右側部分）へ内接させ、その面間を相互に溶接固定させるようにしているので（溶接部３０）、簡単且つ確実に多重梁２４がジョイントピース６１へ固定することが可能となり、その結果、柱１への固定が簡単且つ確実なものとなる。
なお、上記以外については、前記実施の形態１と同様の構成を備えており、同様の作用・効果を得ることができる。
【００７１】
【発明の効果】
以上説明してきたように、請求項１の発明によれば、多重梁の端部における第２の板部の一部を梁の長手方向に短くしてウエブと第１の板部とによる突出部を形成し、突出部を接続片と重ね合わせて連結固定させるようにしているので、簡単且つ確実に多重梁を柱へ固定することが可能となる。
【００７２】
請求項２の発明によれば、多重梁の端部における第２の板部の一部をジョイントピースの長さ寸法分だけ短くして突出部を形成し、突出部を構成するウエブと第１の板部とをジョイントピースのウエブとフランジへ内接させ、ジョイントピースのウエブおよびフランジとこれに内接された多重梁のウエブおよび第１の板部との面間を相互に溶接固定させるようにしているので、簡単且つ確実に多重梁を柱へ固定することが可能となる。
【００７３】
また、ジョイントピースのウエブおよびフランジとこれに内接された多重梁のウエブおよび第１の板部との面間を相互に溶接固定させるようにしているので、溶接箇所を増やすことによって、簡単に所要の接合強度を得ることができる。従って、ジョイントピースの端部に沿って、ジョイントピースと多重梁とを溶接しなくとも、柱と梁との連結部の剛性を容易に確保することができる。しかも、必要な場合には、ジョイントピースの端部に沿って、ジョイントピースの端部と多重梁の第２の板部およびウエブとの間を溶接する余地があり、これによって一層の剛性アップを図ることも可能である。従って、大空間形成ユニット建物の連結部構造などに支障なく適用することができる。
【００７４】
請求項３の発明によれば、多重梁の端部における第２の板部の一部をジョイントピースの長さ寸法分だけ短くして突出部を形成し、突出部を構成するウエブと第１の板部とをジョイントピースのウエブとフランジへ外接させ、ジョイントピースのウエブおよびフランジとこれに外接された多重梁のウエブおよび第１の板部との面間を相互に溶接固定させるようにしているので、簡単且つ確実に多重梁を柱へ固定することが可能となる。
【００７５】
また、ジョイントピースのウエブおよびフランジとこれに外接された多重梁のウエブおよび第１の板部との面間を相互に溶接固定させるようにしているので、溶接箇所を増やすことによって、簡単に所要の接合強度を得ることができる。従って、ジョイントピースの端部に沿って、ジョイントピースと多重梁とを溶接しなくとも、柱と梁との連結部の剛性を容易に確保することができる。しかも、必要な場合には、ジョイントピースの端部に沿って、ジョイントピースの端部と多重梁の第２の板部およびウエブとの間を溶接する余地があり、これによって一層の剛性アップを図ることも可能である。従って、大空間形成ユニット建物の連結部構造などに支障なく適用することができる。
【００７６】
請求項４の発明によれば、多重梁の端部における第２の板部の一部をダイヤフラムの張出部の張出量分だけ短くして突出部を形成し、突出部を構成する第１の板部をダイヤフラムの張出部へ内接させ、ダイヤフラムの張出部の端部とこれに内接された多重梁の第１の板部との間を相互に溶接固定させるようにしているので、簡単且つ確実に多重梁を柱へ固定することが可能となる。従って、大空間形成ユニット建物の連結部構造などに支障なく適用することができる。
【００７７】
請求項５の発明によれば、多重梁の端部に第２の板部の一部を短くして突出部を形成することにより、通常の梁と同様の連結構造を採用することが可能となる。また、段差のない連結を行わせることができる。
【００７８】
請求項６の発明によれば、多重梁の第１の板部と第２の板部との間隙に接続片のフランジを位置させて、接続片と多重梁とを連結固定させるようにしているので、簡単且つ確実に多重梁を柱へ固定することが可能となる。
【００７９】
請求項７の発明によれば、多重梁の第１の板部と第２の板部との間隙にジョイントピースのフランジが挟着され、且つ、多重梁のウエブにジョイントピースのウエブが外接され得るようにして、ジョイントピースのウエブおよびフランジと、これを挟着および外接している多重梁の第１の板部、第２の板部およびウエブとの面間を相互に溶接固定させるようにしているので、簡単且つ確実に多重梁を柱へ固定することが可能となる。
【００８０】
また、ジョイントピースのウエブおよびフランジとこれを挟着および外接している多重梁のウエブおよび第１の板部の面間を溶接固定させるようにしているので、溶接箇所を増やすことによって、簡単に所要の接合強度を得ることができる。従って、ジョイントピースの端部に沿って、ジョイントピースと多重梁とを溶接しなくとも柱と梁との連結部の剛性を容易に確保することができる。しかも、必要な場合には、ジョイントピースの端部に沿って、ジョイントピースと多重梁のウエブとの間隙を溶接する余地があり、これによって一層の剛性アップを図ることも可能である。従って、大空間形成ユニット建物の連結部構造などに支障なく適用することができる、という実用上有益な効果を発揮し得る。
【００８１】
請求項８に記載された発明によれば、ジョイントピースの柱に当接して溶接固定される側の接続片は少なくとも第１の板部と第２の板部とが重なった多重構造であるので、ジョイントピースと柱との溶接固定部は強固なものとなり、また、梁の少なくともフランジがジョイントピースの接合片に内接または外接して溶接固定させるようにしているので、簡単且つ確実に梁を柱へ固定することが可能となる。
【００８２】
請求項９に記載された発明によれば、ジョイントピースのフランジの柱に当接して溶接固定される側の部分は少なくとも第１の板部と第２の板部とが重なった多重構造であるので、ジョイントピースと柱との溶接固定部は強固なものとなり、また、梁の少なくともフランジがジョイントピースのフランジに内接または外接して溶接固定させるようにしているので、簡単且つ確実に梁を柱へ固定することが可能となる。
【図面の簡単な説明】
【図１】本発明の実施の形態１の斜視図である。
【図２】図１の多重梁の正面図である。
【図３】本発明の実施の形態２の斜視図である。
【図４】図３の多重梁の正面図である。
【図５】本発明の実施の形態３の斜視図である。
【図６】図５の多重梁の正面図である。
【図７】本発明の実施の形態４の斜視図である。
【図８】本発明の実施の形態５の斜視図である。
【図９】図８のジョイントピースの斜視図である。
【図１０】建物のユニットの骨組の斜視図である。
【図１１】従来例にかかる柱と梁との連結部構造を示す斜視図である。
【図１２】別の従来例にかかる柱と梁との連結部構造を示す斜視図である。
【図１３】多重梁の断面図である。
【図１４】別の多重梁の断面図である。
【符号の説明】
１    柱
２１  ウエブ
２２  フランジ
２３  第２の板部
２４  多重梁
２５  ウエブ
２６  フランジ
２７  ジョイントピース（接続片）
２９  突出部
３０  溶接部
４１  第２の板部
４２  多重梁
４３  突出部
５１  間隙
５５  ダイヤフラム（接続片）
５７  張出部
５８  突出部
５９  溶接部
６１  ジョイントピース
【図１】
0003958887.tif 000002
【図２】
0003958887.tif 000003
【図３】
0003958887.tif 000004
【図４】
0003958887.tif 000005
【図５】
0003958887.tif 000006
【図６】
0003958887.tif 000007
【図７】
0003958887.tif 000008
【図８】
0003958887.tif 000009
【図９】
0003958887.tif 000010
【図１０】
0003958887.tif 000011
【図１１】
0003958887.tif 000012
【図１２】
0003958887.tif 000013
【図１３】
0003958887.tif 000014
【図１４】
0003958887.tif 000015